【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
記録紙のいずれかの領域を分担して画像形成することが可能に複数の画像形成装置が直列に接続されたタンデム方式の画像形成システムであって、
補正の開始を要求する補正開始通知を受信したか否かを判断する制御部を備える第一画像形成装置と、
各部を調整する補正の実行タイミングに該当した場合に補正開始通知を前記第一画像形成装置に通知する制御部を備える第二画像形成装置と、
を備え、
前記第一画像形成装置の前記制御部は、前記第二画像形成装置の前記制御部からの補正開始通知を受信した場合に、補正許可通知を前記第二画像形成装置に通知すると共に、該第一画像形成装置としても前記補正を実行するよう制御し、
前記第二画像形成装置の前記制御部は、前記第一画像形成装置の前記制御部からの補正許可通知を受けて、該第二画像形成装置として前記補正を実行するよう制御する、
ことを特徴とする画像形成システム。
【請求項２】
前記第一画像形成装置の前記制御部は、補正の開始を要求する補正開始通知を受信した場合に、該補正の実行が可能かを判断し、可能である場合には前記補正許可通知を前記第二画像形成装置に通知すると共に、該第一画像形成装置としても前記補正を実行するよう制御する、
ことを特徴とする請求項１に記載の画像形成システム。
【請求項３】
記録紙について一方の画像形成装置のみが画像形成を担当する場合には前記第二画像形成装置が画像形成する、
ことを特徴とする請求項１または請求項２に記載の画像形成システム。
【請求項４】
記録紙の両面のそれぞれを前記第一画像形成装置と前記第二画像形成装置とで分担して画像形成すると共に、記録紙の片面のみの場合は前記第二画像形成装置が画像形成する、
ことを特徴とする請求項１乃至請求項３のいずれか一項に記載の画像形成システム。
【請求項５】
前記第二画像形成装置が補正の実行タイミングに該当して補正開始通知を前記第一画像形成装置に通知した場合に、
前記第一画像形成装置では、予め定められた補正実行可能範囲になっている種別について該補正を実行する、
ことを特徴とする請求項１−４のいずれか一項に記載の画像形成システム。
【手続補正２】
【補正対象書類名】明細書
【補正対象項目名】００１０
【補正方法】変更
【補正の内容】
【００１０】
（１）請求項１記載の発明は、記録紙のいずれかの領域を分担して画像形成することが可能に複数の画像形成装置が直列に接続されたタンデム方式の画像形成システムであって、補正の開始を要求する補正開始通知を受信したか否かを判断する制御部を備える第一画像形成装置と、各部を調整する補正の実行タイミングに該当した場合に補正開始通知を前記第一画像形成装置に通知する制御部を備える第二画像形成装置と、を備え、前記第一画像形成装置の前記制御部は、前記第二画像形成装置の前記制御部からの補正開始通知を受信した場合に、補正許可通知を前記第二画像形成装置に通知すると共に、該第一画像形成装置としても前記補正を実行するよう制御し、前記第二画像形成装置の前記制御部は、前記第一画像形成装置の前記制御部からの補正許可通知を受けて、該第二画像形成装置として前記補正を実行するよう制御する、ことを特徴とする画像形成システムである。
（２）請求項２記載の発明は、前記第一画像形成装置の前記制御部は、補正の開始を要求する補正開始通知を受信した場合に、該補正の実行が可能かを判断し、可能である場合には前記補正許可通知を前記第二画像形成装置に通知すると共に、該第一画像形成装置としても前記補正を実行するよう制御する、ことを特徴とする請求項１に記載の画像形成システムである。
【手続補正３】
【補正対象書類名】明細書
【補正対象項目名】００１１
【補正方法】変更
【補正の内容】
【００１１】
（３）請求項３記載の発明は、記録紙について一方の画像形成装置のみが画像形成を担当する場合には前記第二画像形成装置が画像形成する、ことを特徴とする請求項１または請求項２に記載の画像形成システムである。なお、この場合には、第二画像形成装置内の給紙部から給紙して画像形成を実行する。
【手続補正４】
【補正対象書類名】明細書
【補正対象項目名】００１２
【補正方法】変更
【補正の内容】
【００１２】
（４）請求項４記載の発明は、記録紙の両面のそれぞれを前記第一画像形成装置と前記第二画像形成装置とで分担して画像形成すると共に、記録紙の片面のみの場合は前記第二画像形成装置が画像形成する、ことを特徴とする請求項１乃至請求項３のいずれか一項に記載の画像形成システムである。なお、この場合には、第二画像形成装置内の給紙部から給紙して画像形成を実行する。
【手続補正５】
【補正対象書類名】明細書
【補正対象項目名】００１３
【補正方法】変更
【補正の内容】
【００１３】
（５）請求項５記載の発明は、前記第二画像形成装置が補正の実行タイミングに該当して補正開始通知を前記第一画像形成装置に通知した場合に、前記第一画像形成装置では、予め定められた補正実行可能範囲になっている種別について該補正を実行する、ことを特徴とする請求項１−４のいずれか一項に記載の画像形成システムである。
【手続補正６】
【補正対象書類名】明細書
【補正対象項目名】００１５
【補正方法】変更
【補正の内容】
【００１５】
（１）請求項１記載の発明では、記録紙のいずれかの領域を分担して画像形成することが可能に複数の画像形成装置が直列に接続されたタンデム方式の画像形成システムにおいて、第二画像形成装置からの補正開始通知を受けた第一画像形成装置では、補正許可通知を第二画像形成装置に通知すると共に、該第一画像形成装置としても補正を実行する。
【手続補正７】
【補正対象書類名】明細書
【補正対象項目名】００１６
【補正方法】変更
【補正の内容】
【００１６】
この結果、複数の画像形成装置が直列に接続された状態において、補正を同時に実行することでダウンタイムを最低限に抑えることができ、かつ、補正を同時に実行することで各画像形成装置の分担に関して画質に変化を生じさせることがない。すなわち、記録紙の表裏などで画質や色味を合わせることが可能になる。
（２）請求項２記載の発明では、第二画像形成装置からの補正開始通知を受けた第一画像形成装置では該補正の実行が可能であるかを判断し、補正を実行可能である場合には補正許可通知を第二画像形成装置に通知すると共に、該第一画像形成装置としても補正を実行する。
この結果、複数の画像形成装置が直列に接続された状態において、補正を同時に実行することでダウンタイムを最低限に抑えることができ、かつ、補正を同時に実行することで各画像形成装置の分担に関して画質に変化を生じさせることがない。すなわち、記録紙の表裏などで画質や色味を合わせることが可能になる。
【手続補正８】
【補正対象書類名】明細書
【補正対象項目名】００１７
【補正方法】変更
【補正の内容】
【００１７】
（３）請求項３記載の発明では、記録紙について一方の画像形成装置のみが画像形成を担当する場合には前記第二画像形成装置が画像形成するため、第二画像形成装置側で先に補正実行タイミングが到来することになり、第二画像形成装置から補正開始通知を発生することが可能になる。
【手続補正９】
【補正対象書類名】明細書
【補正対象項目名】００１８
【補正方法】変更
【補正の内容】
【００１８】
そして、第二画像形成装置からの補正開始通知を受けた第一画像形成装置では、補正許可通知を第二画像形成装置に通知すると共に、該第一画像形成装置としても補正を実行するため、補正を同時に実行することでダウンタイムを最低限に抑えることができ、かつ、補正を同時に実行することで各画像形成装置の分担に関して画質に変化を生じさせることがない。
【手続補正１０】
【補正対象書類名】明細書
【補正対象項目名】００１９
【補正方法】変更
【補正の内容】
【００１９】
（４）請求項４記載の発明では、記録紙の両面のそれぞれを第一画像形成装置と第二画像形成装置とで分担して画像形成すると共に、記録紙の片面のみの場合は第二画像形成装置が画像形成することにより、第二画像形成装置側で先に補正実行タイミングが到来することになり、第二画像形成装置から補正開始通知を発生することが可能になる。そして、第二画像形成装置からの補正開始通知を受けた第一画像形成装置では、補正許可通知を第二画像形成装置に通知すると共に、該第一画像形成装置としても補正を実行するため、補正を同時に実行することでダウンタイムを最低限に抑えることができ、かつ、補正を同時に実行することで各画像形成装置の分担に関して画質に変化を生じさせることがない。
【手続補正１１】
【補正対象書類名】明細書
【補正対象項目名】００２０
【補正方法】変更
【補正の内容】
【００２０】
（５）請求項５記載の発明では、第二画像形成装置から補正開始通知を受けた場合に、第一画像形成装置では、予め定められた補正実行可能範囲になっている種別について該補正を実行することで、無駄のない状態で補正を同時に実行することでダウンタイムを最低限に抑えることができ、かつ、補正を同時に実行した種別に関しては画質に変化を生じさせることがない。